(57)【要約】【課題】直接手を触れることなく蓋を開閉でき、メンテナンスが容易なダストボックスを提供する。【解決手段】ボックス本体１と、前記ボックス本体１のダスト投入口４を開閉する蓋５と前記蓋５を開閉する駆動装置１０とを備えて成り、前記駆動装置１０は、電源１１と駆動モータ１２とこの駆動モータ１２を正逆反転可能に駆動する駆動回路１３とこの駆動回路１３を起動する検知センサー１４と蓋揺動アーム６を揺動させて当該蓋５を開閉する伝動機構１５とを備えて成り、前記検知センサー１４が要開動作を検知することに基づき、前記蓋５を開くように構成する。さらに、前記ボックス本体１は上半ボックス２と下半ボックス３とを着脱自在に合体させて構成し、前記ダスト投入口４は上記上半ボックス２に開口され、当該ダスト投入口４の下側の外領域で、前記上半ボックス２の内壁に前記駆動装置１０を構成する上記各部材１１〜１５を装着する。【選択図】図１
0003140376.tif 000002
【実用新案登録請求の範囲】
【請求項１】
ボックス本体（１）と、前記ボックス本体（１）のダスト投入口（４）を開閉する蓋（５）と前記蓋（５）を開閉する駆動装置（１０）とを備えて成り、前記駆動装置（１０）は、電源（１１）と駆動モータ（１２）とこの駆動モータ（１２）を正逆反転可能に駆動する駆動回路（１３）とこの駆動回路（１３）を起動する検知センサー（１４）と蓋揺動アーム（６）を揺動させて当該蓋（５）を開閉する伝動機構（１５）とを備えて成り、前記検知センサー（１４）が要開動作を検知することに基づき、前記蓋（５）を開くように構成したことを特徴とするダストボックス。
【請求項２】
請求項１に記載したダストボックスにおいて、
前記ボックス本体（１）は上半ボックス（２）と下半ボックス（３）とを着脱自在に合体させて構成し、前記ダスト投入口（４）は上記上半ボックス（２）に開口され、当該ダスト投入口（４）の下側の外領域で、前記上半ボックス（２）の内壁に前記駆動装置（１０）を構成する上記各部材（１１〜１５）を装着したことを特徴とするダストボックス。
【考案の詳細な説明】
【技術分野】
【０００１】  本考案は、直接手を触れることなく蓋を開閉できるダストボックスに関する。
【背景技術】
【０００２】  この種のダストボックスとしては、従来ではペダル機構で蓋を開くように構成されている（以下、「従来例１」という）。また、人手を介さずに蓋を開閉する開閉装置としては、例えば下記の特許文献に示すもの（以下、「従来例２」という）が知られている。この従来例２は、蓋の開度を自在に制御する技術に関するものである。
【特許文献】特開２００１−００３６３７号公報
【考案の開示】
【考案が解決しようとする課題】
【０００３】  上記従来例１は、ペダル機構で蓋を開くように構成されており、直接手を触れることなく蓋を開閉できるので清潔で至便であるが、以下のような不都合がある。即ち、ボックス自体が軽いと足でペダルを踏む度にダストボックスの位置がいざるという問題がある。また、上記従来例２は、蓋の開度を自在に制御する点でダストボックスに採用するには機能的に過剰品質で、ひいてはコスト高になり、メンテナンスの点でも容易でないという問題がある。【０００４】  本考案はこのような事情を考慮してなされたもので、ダストボックスの無駄ないざりを解消し、開閉装置を低コストでメンテナンスが容易なダストボックスを提供することを目的とする。
【課題を解決するための手段】
【０００５】  本考案は前記課題を解決するものとして以下のように構成される。
即ち、請求項１に記載の考案は、ボックス本体１と前記ボックス本体１のダスト投入口４を開閉する蓋５と上記蓋５を開閉する駆動装置１０とを備えて成り、前記駆動装置１０は、電源１１と駆動モータ１２とこの駆動モータ１２を正逆反転可能に駆動する駆動回路１３とこの駆動回路１３を起動する検知センサー１４と蓋揺動アーム６を揺動させて当該蓋５を開閉する伝動機構１５とを備えて成り、前記検知センサー１４が要開動作を検知することに基づき、前記蓋５を開くように構成したことを特徴とするものである。【０００６】  また、請求項２に記載の考案は、上記請求項１の構成に以下の構成を付加したものである。即ち、前記ボックス本体１は上半ボックス２と下半ボックス３とを着脱自在に合体させて構成し、前記ダスト投入口４は上記上半ボックス２に開口され、当該ダスト投入口４の下側の外領域で、前記上半ボックス２の内壁に前記駆動装置１０を構成する上記各部材１１〜１５を装着したことを特徴とするものである。
【考案の効果】
【０００７】  請求項１に記載の考案では、従来例１のようなペダル機構に代えて、上記のような駆動装置１０を備え、前記検知センサー１３が人手等により要開動作を検知することに基づき、前記蓋５を開作動する。これにより、ボックス自体が軽くてもダストボックスの位置がいざるという従来例１の問題を解消することができる。【０００８】  また、請求項２に記載の考案では、ボックス本体１が上半ボックス２と下半ボックス３とを着脱自在に合体させて構成され、前記駆動装置１０を構成する上記各部材１１〜１５が当該ダスト投入口４の下側の外領域で、前記上半ボックス２の内壁に装着されていることから、駆動装置１０のメンテナンスの際には上半ボックス２を下半ボックス３から外してメンテナンスすることができ、これにより当該駆動装置１０のメンテナンスが容易になる。
【考案を実施するための最良の形態】
【０００９】  以下、本考案の好ましい実施形態について添付図面を参照しながら詳細に説明する。
尚、以下の実施形態では、技術的に好ましい種々の部材が付加されているが、本考案の技術的範囲は、以下の説明において特に限定する旨の記載がない限り、これらの態様に限られるものではない。【００１０】  図１は本考案の実施形態に係るダストボックスの縦断側面図、図２は図１中の要部拡大図、図３は本考案の実施形態に係るダストボックスの正面斜視図である。
このダストボックスは、図１〜図３に示すように、略球形のボックス本体１と上記ボックス本体１のダスト投入口４を開閉する蓋５と上記蓋５を開閉する駆動装置１０と上記ボックス本体１を支える台座７とを備えて構成されている。【００１１】  上記ボックス本体１は、上半ボックス２と下半ボックス３とを着脱自在に合体させて構成され、全体が略球形に形成されている。上記下半ボックス３には突起状の外縁部３ａと段落状の内縁部３ｂとがリング状に形成され、上記段落状の内縁部３ｂの上にガイドリング９の下端部が着脱自在に着座し、上記突起状の外縁部３ａ上に前記上半ボックス２の下端部が着座するように構成されている。【００１２】  上記ガイドリング９は、上半ボックス２と下半ボックス３とを着脱自在に合体させるガイドの機能と、上半ボックス２が下半ボックス３から脱落するのを防止する機能を備える。なお、このガイドリング９と上半ボックス２とを一体不可分に、あるいは上記ガイドリング９と下半ボックス３とを一体不可分に構成しても差し支えない。上記台座７はビス８により下半ボックス３の下部に固定されている。これはボックス本体１が転倒しないように支えるためのものである。【００１３】  上記蓋５は、図１〜図３に示すように、球体の一部分を構成するように形成され、この蓋５には蓋揺動アーム６が一体に形成されている。この蓋揺動アーム６の基端部は、ダスト投入口４に設けたリブ４ａに支軸６ａを介して蝶着されている。そしてこの蓋揺動アーム６の先端部には受動ピン６ｂが設けられ、後述するように、駆動装置１０を構成する伝動機構１５の出力アーム１８を矢印Ｆ方向へ揺動させることにより上記受動ピン６ｂを介して蓋揺動アーム６を揺動させるように構成されている。【００１４】  前記駆動装置１０は、電池１１と駆動モータ１２とこの駆動モータ１２を正逆反転可能に駆動する駆動回路１３とこの駆動回路１３を起動する検知センサー１４と前記蓋揺動アーム６を揺動させて前記蓋５を開閉する伝動機構１５とを備えて成り、前記検知センサー１４が人手等により要開動作を検知することに基づき、前記蓋５を開作動するように構成されている。上記駆動回路１３はプリント基板にワンチップ型マイクロコンピュータを備え、前記検知センサー１４からの要開動作信号により、前記駆動モータ１２を正転させて蓋５を開作動させ、所定時間経過後に前記駆動モータ１２を逆転させて前記蓋５を閉じるように構成されている。【００１５】  前記検知センサー１４は非接触型の光センサーにより構成され、図１及び図３に示すように、上半ボックス２の正面に設けられている。つまり、人手等をかざして前記検知センサー１４が要開動作を検知することに基づき、前記蓋５を開作動するように構成されている。なお、符号１４ａは、上記蓋５が開状態にあることを示す発光ダイオードである。【００１６】    前記伝動機構１５は、図１及び図２に示すように、駆動モータ１２の出力軸に固定された小径の駆動歯車１６と、この駆動歯車に噛合する大径の従動歯車１７と、この従動歯車１７の出力軸に固定された二股状の出力アーム１８とから減速伝動機構として構成され、上記出力アーム１８を矢印Ｆ方向へ揺動させることにより上記受動ピン６ｂを介して���揺動アーム６を揺動させ、これと一体の蓋５を開閉するように構成されている。【００１７】  前記駆動装置１０を構成する上記各部材１１〜１５は、ダスト投入口４の下側の外領域で、前記上半ボックス２の内壁に装着されている。これは駆動装置１０のメンテナンスの際に、上半ボックス２を下半ボックス本体３から取り外してメンテナンスすることができるように、つまり、当該駆動装置１０のメンテナンスが容易になるように構成したものである。【００１８】  なお、上記の実施形態では歯車を用いて減速伝動機構として構成したものについて例示したが、これに代えてリンク機構等を用いて構成しても良い。また、電源として電池を用いたものについて例示したが、これに代えて建物に敷設の電源を用いても差し支えない。
【図面の簡単な説明】
【００１９】
【図１】本考案の実施形態に係るダストボックスの縦断側面図である。
【図２】図１中の要部拡大図である。
【図３】本考案の実施形態に係るダストボックスの正面斜視図である。
【符号の説明】
【００２０】  １…ボックス本体、２…上半ボックス、３…下半ボックス、４…ダスト投入口、５…蓋、６…蓋揺動アーム、７…台座、９…ガイドリング、１０…駆動装置、１１…電源、１２…駆動モータ、１３…駆動回路、１４…検知センサー、１５…伝動機構。
【図１】
0003140376.tif 000003
【図２】
0003140376.tif 000004
【図３】
0003140376.tif 000005